(57)【特許請求の範囲】
【請求項１】
各接続すべき位相のために二つの固定連続主接点対（３、４）が設けられていて、それら連続主接点対は二つの異なる端位置へ旋回できる唯一の可動電気伝導連続主接点対（１６）によって架橋でき、各接続すべき位相において両連続主接点対のそれぞれ一方（３或いは４）が静止状態に架橋されて連続電流を導き、両連続主接点対（３、４）のそれぞれはそれぞれに一つの下連続主接点（８、１２）とそれから電気絶縁された一つの上連続主接点（９、１３）とから成り、一方の下連続主接点（８）が負荷切換スイッチの一つの側面（Ａ）と他方の下連続主接点（１２）が負荷切換スイッチの第二側面（Ｂ）と電気的に接続されていて、両上連続主接点対（９、１３）は負荷切換スイッチの共通負荷誘導部と電気接続されていて、可動連続主接点対（１６）は常に上連続主接点対（９、１３）と電気接続されていて、可動連続主接点対（１６）は両端位置のいずれかのみに交互に両接触面の一方（１９或いは２０）が下連続主接点のそれぞれ一方（８或いは１２）と電気接続されるように或る領域の両側にそれぞれ一つの接触面（１９、２０）を有し、下連続主接点（８、１２）のそれぞれが多数の個別の接点円板（８．１，１２．１）から成り、接点円板（８．１，１２．１）のそれぞれが少なくとも一つの接触ばね（１０，１４）によって弾力的に連接されている順序スイッチ用負荷切換スイッチにおいて、それぞれ接点円板（８．１，１２．１）が連接されている接点ばね（１０，１４）の長手方向軸線は、接点円板（８．１，１２．１）と下固定連続主接点（８、１２）とがそれぞれに可動連続主接点対（１６）の衝突方向と一致するように、可動連続主接点対（１６）のそれぞれの接触面（１９或いは２０）の衝突方向と同じ方向に延びていることを特徴とする負荷切換スイッチ。
【請求項２】
下固定連続主接点（８、１２）の接触円板のそれぞれ少なくとも一方が焙焼接点円板（２２，２３）として形成されて、全体的に或いは部分的に耐焙焼材料から成り、可動連続主接点対（１６）は焙焼接点円板（２２，２３）と接点接触の領域にて同様に耐火材料から成るそれぞれに一つの焙焼挿入体（２６，２７）を有し、焙焼接点円板（２２，２３）はそれぞれ遮断する側の通常の接点円板（８．１，９．１）が既に可動連続主接点対（１６）の接触外に到達されるので、それぞれの側の通常の接点円板（８．１，９．１）が接続されて後者として接触外に到達する前に焙焼接点円板が可動連続主接点対（１６）のそれぞれ切換運動において両端位置の一方に前者としてそれぞれ互いに接触して到達するように一致する焙焼挿入体（２６，２７）としても幾何学的に形成されていることを特徴とする請求項１に記載の負荷切換スイッチ。
【請求項３】
焙焼接点円板（２２，２３）は可動連続主接点対（１６）のそれぞれの焙焼接点挿入体（２６，２７）と接触する領域において同様に焙焼接点挿入体（２４，２５）を有して、これらのみが耐火材料から成ることを特徴とする請求項２に記載の負荷切換スイッチ。
【請求項４】
焙焼接点挿入体（２６，２７）はボルト（２８，２９）によって可動連続主接点対（１６）に固定されていることを特徴とする請求項２或いは請求項３に記載の負荷切換スイッチ。
【請求項５】
耐焙焼材料としてタングステン−銅−合金が使用されることを特徴とする請求項２乃至請求項４のいずれか一項に記載の負荷切換スイッチ。
【発明の詳細な説明】
【技術分野】
【０００１】
この発明は、各位相のために導線なしに接続する連続主接点を備える順序スイッチ用負荷切換スイッチに関する。
【背景技術】
【０００２】
そのような負荷切換スイッチはドイツ特許第１００５０８９５号明細書（特許文献１）から知られている。負荷切換スイッチは各切換えるべき位相のために二つの異なる端位置に旋回できる唯一の可動電気導体連続主接点により選択的に架橋できる二つの連続主接点対を有する。この場合に両連続主接点対のそれぞれ一方は静止状態で架橋されて、順序スイッチの各負荷切換を開始するために、今まで連続電流を案内する一方の連続主接点対が開かれていて、各負荷切換の終了では−  全切換シリーズの満了後に  −今まで開かれた他方の連続主接点対が架橋されて連続電流を受ける。そのために、負荷切換スイッチの内部には中心に延びる切換軸が配置されていて、その軸によって可動電気導体連続主接点が−即ち架橋接点が作動できる。各連続主接点対は、互いに電気的に絶縁されている第一と第二の連続主接点から成る。この第一連続主接点の一方は負荷切換スイッチの一方の側面Ａと接続されていて、この第一連続主接点の他方は負荷切換スイッチの他方の側面Ｂと接続されている。両第二連続主接点は負荷切換スイッチの共通負荷導体と電気的に接続されている。可動連続主接点は、いつも負荷導体と電気的に接続されている両連続主接点対の両第二連続主接点と接続されてこの負荷導体に滑動するか、進行するように球状に形成された載置面を有する。一定領域では、可動連続主接点はそれから偏向して横に接点面が形成されているような輪郭を有するので、可動連続主接点は両可能端位置の各々のみに選択的に両連続主接点対の一方のそれぞれの第一連続主接点の一方に電気的に接触している。言い換えると：可動連続主接点の一方の端位置において負荷切換スイッチの側面Ａは負荷導体と接続され、他方の端位置において負荷切換スイッチの側面Ｂは負荷導体と接続されている。側面Ａ或いは側面Ｂと電気的に接続されている両連続主接点対のそれぞれの第一連続主接点の装着は、可動連続主接点がその端位置に旋回されときにそれぞれの第一連続主接点、正確に言ってその個々の接点円板を接点円板が接点ばねに連接されているそれぞれの接点ばねの力に対して外方に押圧して、接点ばねを互いに開脚する形式で行われる。
【０００３】
けれども、接点円板のこの開脚が一連の欠点を有することが示されている。一方では、可動連続主接点の適切に一致する接点面の適切な第一連続主接点への比較的ゆっくりとした切換が行われる；これは輪郭の幾何学と個々の接点円板の運動方向によって条件付けられ、次の説明された理由から負荷切換スイッチの全配列と電圧強度の絶縁強度用の劣化値を導き；各負荷切換では、まず最初に連続主接点が今まで電流を案内する側面で遮断される、即ち可動連続主接点が一致する固定連続主接点対から分離される、その後に元来のスイッチ接点が遮断される。可動連続主接点は元来のスイッチ接点を開放するまで一定通路区間を進まなければならなかった、それにより一定電圧強度を保証する。この通路区間は公知の負荷切換スイッチでは説明されるように比較的僅かであり、それは電圧強度にマイナスに影響を及ぼす。
【０００４】
他方では、個別の接点円板のゆっくりとした滑動と開脚は可動連続主接点によって摩擦を上昇させる。この摩擦を克服する力は力蓄積器により追加的になお伝えられなければならない。これらの問題は、連続主接点の開放切換はさらに上述されたように負荷切換の終了の際に完全に行われ、力蓄積器の蓄積されたエネルギーがどっちみちほぼ消耗される時点に行われることによって増大される。最終的に公知の解決策は極めて高い寸法安定性を可動連続主接点並びに接点円板に必要とする；既に最小の製造公差は可動連続主接点がそれぞれ固定連続主接点の円板へはもはや完全に開放切換され得ない、それ故に全負荷切換スイッチがその端位置に到達しないか、或いは困難の下でのみ到達されるように摩擦が上昇することを生じ得る。      
【特許文献１】ドイツ特許第１００５０８９５号明細書
【発明の開示】
【発明が解決しようとする課題】
【０００５】
それ故に、この発明の課題は、記載された連続主接点対が簡単な方法で且つ電気的強度を考慮することなしに作動され得る冒頭に挙げた種類の負荷切換スイッチを提供することである。
【課題を解決するための手段】
【０００６】
この課題は、特許請求の範囲の請求項１の特徴部分を備える負荷切換スイッチによって解決される。従属請求項はこの発明の好ましい実施態様に関係している。
【発明の効果】
【０００７】
この発明を基礎におく一般的思想は、それぞれ第一連続主接点の弾力的に連接された接点円板が一致するばね力に逆らって操縦可能である方向が少なくとも可動連続主接点のほぼ衝突方向に、正確に言って、可動連続主接点の輪郭に一致することにある。それによって可動連続主接点は正確にその変更方向でそれぞれの接点円板に衝突する；これは運動学的にいずれか一方がばね付勢されている二つの鉄道緩衝器の衝突とほぼ比較できる。その際に、その衝突は極めて迅速に、即ち高い接点閉鎖或いは開放速度により行われる。これは良好な電圧強度を与える、と言うのは短時間内に可動連続主接点の比較的高い通路区間が引き戻されるからである。そのために可動連続主接点の出会の種類と形式において同じ方向に弾力的に移動できる固定接点でほんの僅かな精度要求が求められ、そしてそれは追加的摩擦力を生じる。接点ばねに打ち勝つ力だけが伝達される必要がある。可動連続主接点をそれぞれの固定連続主接点に接続することが適切に行われる。それは技術水準による摩擦結合におけるよりも実質的に僅かな磨耗しか生じない。この発明の別の利点は、遮断の際に可動連続主接点が固定接点から適切なばね力によって離れながら押圧される、即ち遮断するために追加的力が必要とされていないことにある。それとは反対に、技術水準では遮断の際にも摩擦力に打ち勝たねばならない。
【発明を実施するための最良の形態】
【０００８】
この発明は次に図面に基づいて模範的になお詳細に説明される。図１は見通しをより良くする理由からこの発明を説明するために無制限に必要とされていない一連の構成部材とスイッチ手段が省略されている連続主接点を備えるこの発明の第一負荷切換スイッチを概略的斜視図で示し、図２はこの発明の第一負荷切換スイッチの可動連続主接点との共働関係の図１の第一平面Ａ−Ａにおける固定連続主接点の同様な概略的切断図を示し、図３はこの発明の第二負荷切換スイッチを概略的斜視図で示し、図４はさらにこの発明の第二負荷切換スイッチの可動連続主接点との共働関係の図３の第二平面Ｂ−Ｂにおける固定連続主接点の概略的切断図を示し、図３による平面Ａ−Ａにおける概略的切断図は図２と等しい。
【実施例１】
【０００９】
まず最初に図１と図２に図示されている負荷切換スイッチは詳細に説明される。この負荷切換スイッチの支持要素は、各位相のために可動連続主接点２とその作動手段を受けて支持する基板である。ここではそのような完全な連続主接点のみが図示されている。固定連続主接点対３，４はこれと共働して、全負荷切換スイッチを包囲する図示されていない油容器の内壁に固定されている。そのために、各位相のために三つの接点支持体５，６，７が設けられている。
【００１０】
左面には、負荷切換スイッチの一方の側面Ａと電気的に接続されている下に配置された固定連続主接点８とその上に配置されて負荷切換スイッチの共通負荷導体に導いた固定連続主接点９とから成る第一固定連続主接点対３が配置されている。固定連続主接点８或いは９のそれぞれは、多数の個々の接点円板８．１或いは９．１から成ることがわかる。各接点円板８．１或いは９．１は接点ばね１０或いは１１によって弾力的に連接されている。右面には、第二固定連続主接点対４が存在する。これは全く類似して下に配置された固定連続主接点１２から成り立つもので、この固定連続主接点は負荷切換スイッチの他方の側面Ｂと電気的に接続されていて、そしてその上に配置された固定連続主接点１３は共通負荷導体に導かれる。この場合にも、固定連続主接点１２或いは１３のそれぞれは、多数の個々の接点円板１２．１或いは１３．１から成り、それら接点円板は再び全く類似に接点ばね１４或いは１５によって個々に弾力的に連接されている。固定連続主接点９と１３は第一電気導体接点支持体５に配置されて共通負荷導体を形成する。固定連続主接点８は第二接点支持体６に配置されて負荷切換スイッチの側面Ａと接続されており、そして固定連続主接点１２はそれと電気的に絶縁され、第三接点支持体７に配置されて負荷切換スイッチの側面Ｂと接続されている。  
【００１１】
さらに、電気的導体である共通可動連続主接点１６が設けられている。この共通可動連続主接点は、左面には上領域において固定連続主接点９と一致する膨張面１７を有し、並びにその右面には固定連続主接点１３と一致する膨張面１８を有する。その下領域では共通可動連続主接点は、左面には固定連続主接点８と一致する接点面１９を有し、並びに右面には全く類似に固定連続主接点１２と一致する別の接点面２０を有する。可動連続主接点１６は、可動連続主接点が負荷切換スイッチの長手方向軸線に中心位置を中心に旋回できるように、詳細に図示されていない軸受２１を有する。二つの二重矢印によって図面において可動連続主接点１６の旋回路が示されている。両膨張面１７，１８は、技術水準により知られているように、それら膨張面が可動連続主接点１６のその軸受２１を中心とする旋回の際に上記に説明されるように両方が負荷切換スイッチの電気的負荷導体と接続している固定連続主接点９と１３といつも接触したままであるように球状に形成されている；これは滑動或いは転がりの形態で行われる。言い換えると：負荷導体に対する可動連続主接点１６の電気的接続は、可動連続主接点１６の状態と無関係に永久にそのままである。
【００１２】
これとは違って、可動連続主接点１６の両方のそれぞれその下に配置された接点面１９或いは２０は、それらが一つの両端位置への可動連続主接点１６の旋回のみでそれぞれに一致する固定連続主接点８或いは１２と接触に到るように形成されている。この場合には、この発明によると、接点ばね１０或いは１４への接点円板８．１或いは１２．１の連接は、接点ばね１０或いは１４の長手方向軸線がそれぞれの接点面１９或いは２０の衝突方向と同じ方向にそれぞれ延びている形式に行われる。これは、搬送或いは横方向開脚が行われることなしに、可動連続主接点１６がそれぞれの端位置におけるそれぞれの接点円板８．１或いは１２．１ヘの衝突の際にこれらを正確に運動方向にばね力に逆らって偏向される作用を有する。
【００１３】
図２は平面Ａ−Ａにおける断面を示す。この図２には可動連続主接点１６の運動方向と適切な接点ばね１０或いは１４の長手方向との一致は、  端位置に応じて  なお一度詳述されて示される。一端位置の到達における可動連続主接点１６の運動方向と固定連続主接点８が衝突する固定連続主接点８の接点円板８．１の偏向方向とは矢印によって説明されている。可動連続主接点１６が全く類似の形式で固定連続主接点１２の接点円板１２．１に衝突する可動連続主接点１６の他の端位置は細い点線によって示されている。
【００１４】
次に、一つの第二の更に開発されたこの発明の負荷切換スイッチが、図３と４に図示されているように、記載されている。同じ部材は同じ参照符号を備えている；参照符号１〜２１で示された部材の配列と作用態様は上で説明された第一実施例に比べて変更されておらず、そのためにここでの繰り返しは放棄されている。図４は平面Ｂ−Ｂにおける断面図を示す。
【００１５】
連続主接点２を切り換える際に一定運転条件の下に望ましからぬアーク放電が生じ得て、そのアーク放電は可動連続主接点１６におけるのと同様に固定連続主接点８，９の接点円板８．１，９．１における同様に望ましからぬ接点焼き減りをまねき得る。これを回避するためにここでは固定連続主接点８は特に形成された上に配置された焙焼接点円板２２を有し、同様に固定連続主接点９は一致する焙焼接点円板２３を有する。可動連続主接点１６との接点接触の領域において焙焼接点円板２２，２３はそれぞれ一つの特別な耐焙焼性材料、例えばタングステン−銅から成る焙焼接点挿入体２４，２５を有する。一致して可動連続主接点１６も焙焼接点円板２２，２３との接点接触の一致する領域において同じに記載された特性を備えるそれぞれ一つの特別焙焼接点挿入体２６，２７を有する。  
【００１６】
可動連続主接点１６における弾力的に配置された固定焙焼接点円板２２，２３並びに焙焼接点挿入体２６，２７はこの場合にそれらが可動連続主接点１６の適切な側面Ａ或いはＢへの切換え運動の際にそれら側面に切り換えられる、最初に互いに接触にいたる、即ち通常のこの特殊な材料を備えていない接点円板８．１或いは９．１に切り換えられるように、幾何学的に形成されている。他の方向に切り換える際に、即ち可動連続主接点１６の従来の位置を去る際に、固定焙焼接点円板２２，２３は最後より最初に適切な焙焼接点挿入体２６，２７との接触外に至り、その後に初めてすべての通常の接点円板８．１或いは９．１は既に接触外に至っている。それによって、事情によっては生じるアーク放電はいつも焙焼接点円板２２，又は２３の特別な耐焙焼性焙焼接点挿入体２４或いは２５並びにそれぞれそれと共働する焙焼接点挿入体２６或いは２７の間のみに生じ、他の接点対はそのようなアーク放電とそれによる望ましからぬ焼き減りから確実に保護されることが保証されている。
【００１７】
この発明の範囲内で、それぞれ特別な耐焙焼性材料から成る全特別焙焼接点円板２２，２３を備えて、記載された別の焙焼接点挿入体を放棄することが可能である。
【００１８】
この発明の範囲内で、さらに当然に、それぞれそのような特別な耐焙焼性に形成された接点対を備えることが可能である。
【００１９】
同様に、すべての接点円板８．１，９．１と可動連続主接点１６も特別な耐焙焼性材料から製造することが可能であるけれども、これは価格的理由から通常には実現できない。
【００２０】
それで、負荷切換スイッチの図３と図４に示された実施態様は二つの利点を有する。一方では、すべての接点円板に高価なタングステン−銅材料を備えることが必要はない。他方では、検査などにおいて簡単な方法で焙焼接点円板２２，２３並びに焙焼接点挿入体２６，２７のみが交換されて使用する；他の接点対には実質的に摩耗が生じない。焙焼接点挿入体２６，２７の交換をさらに容易とするために、これらはこの発明の特別な実施態様では別にボルト２８，２９によって可動連続主接点１６にねじ止めされている。
【図面の簡単な説明】
【００２１】
【図１】見通しをより良くする理由からこの発明を説明する無制限には必要とされていない一連の構成部材とスイッチ手段が省略されている連続主接点を備えるこの発明の第一負荷切換スイッチを概略的斜視図で示す。
【図２】この発明の第一負荷切換スイッチの可動連続主接点との共働関係の図１の第一平面Ａ−Ａにおける固定連続主接点の同様な概略的切断図を示す。
【図３】この発明の第二負荷切換スイッチを概略的斜視図で示す。
【図４】さらにこの発明の第二負荷切換スイッチの可動連続主接点との共働関係の図３の第二平面Ｂ−Ｂにおける固定連続主接点の概略的切断図を示す。
【符号の説明】
【００２２】
１．．．．基板
２．．．．一位相に完全な連続主接点
３．．．．固定連続主接点対
４．．．．固定連続主接点対
５．．．．負荷導体と結合した第一接点支持体
６．．．．側面Ａと結合した第二接点支持体
７．．．．側面Ｂと結合した第三接点支持体
８．．．．Ａと結合できる３の下連続主接点
９．．．．負荷導体と結合した３の上連続主接点
８．１．．．８の接点円板
９．１．．．９の接点円板
１０．．．．８．１用の接点ばね
１１．．．．９．１用の接点ばね
１２．．．．Ｂと結合できる４の下連続主接点
１３．．．．負荷導体と結合した４の上連続主接点
１２．１．．．１２の接点円板
１３．１．．．１３の接点円板
１４．．．．１２．１用の接点ばね
１５．．．．１３．１用の接点ばね
１６．．．．可動連続主接点
１７．．．．９に転がり降ろす膨張面
１８．．．．１３に転がり降ろす膨張面
１９．．．．８に衝突する接触面
２０．．．．１２に衝突する接触面
２１．．．．軸受
２２．．．．８の焙焼接点円板
２３．．．．１２の焙焼接点円板
２４．．．．２２における焙焼接点挿入体
２５．．．．２３における焙焼接点挿入体
２６．．．．１６における焙焼接点挿入体
２７．．．．１６における焙焼接点挿入体
２８．．．．ボルト
２９．．．．ボルト
【図１】
0004403175.tif 000002
【図２】
0004403175.tif 000003
【図３】
0004403175.tif 000004
【図４】
0004403175.tif 000005